【手続補正書】
【提出日】平成17年3月24日(2005.3.24)
【手続補正１】
【補正対象書類名】明細書
【補正対象項目名】発明の名称
【補正方法】変更
【補正の内容】
【発明の名称】アンテナ切換装置、及びアンテナ切換方法
【手続補正２】
【補正対象書類名】明細書
【補正対象項目名】特許請求の範囲
【補正方法】変更
【補正の内容】
【特許請求の範囲】
【請求項１】
複数のアンテナと、複数のアンテナ接続対象機器とを備え、ダイバーシティ方式が採用された受信システムに用いるアンテナ切換装置であって、
これら複数のアンテナからのアンテナ信号のうちのいずれかを選択して入力するための第１の入力選択手段と、
該第１の入力選択手段により選択されたアンテナ信号を、これら複数のアンテナ接続対象機器のうちのいずれかへ出力するための第１の出力手段と、
前記アンテナ信号を出力すべきアンテナ接続対象機器を決定する第１の機器決定手段と、
該第１の機器決定手段による決定に基づいて、前記第１の出力手段を制御することによって、前記第１の機器決定手段により決定されたアンテナ接続対象機器へ、前記アンテナ信号を出力させる第１の出力制御手段と、
前記アンテナ接続対象機器からの指示に基づいて、前記第１の入力選択手段を制御することによって、該第１の入力選択手段により選択されるアンテナ信号を切り換える第１の入力制御手段とを備えていることを特徴とするアンテナ切換装置。
【請求項２】
これら複数のアンテナからのアンテナ信号のうちのいずれかを選択して入力するための第２の入力選択手段と、
該第２の入力選択手段により選択されたアンテナ信号を、これら複数のアンテナ接続対象機器のうちの、所定のアンテナ接続対象機器へ出力するための第２の出力手段と、
前記第１の機器決定手段により、前記所定のアンテナ接続対象機器が前記アンテナ信号を出力すべき機器と決定されると、前記第２の出力手段を制御することによって、前記所定のアンテナ接続対象機器へ、前記アンテナ信号を出力させる第２の出力制御手段と、
前記アンテナ接続対象機器からの指示に基づいて、前記第２の入力選択手段を制御することによって、該第２の入力選択手段により選択されるアンテナ信号を切り換える第２の入力制御手段とを備えると共に、
前記第１の入力選択手段により選択されるアンテナ信号と、前記第２の入力選択手段により選択されるアンテナ信号とが排他的となるように構成されていることを特徴とする請求項１記載のアンテナ切換装置。
【請求項３】
これら複数のアンテナからのアンテナ信号のうちのいずれかを選択して入力するための第２の入力選択手段と、
該第２の入力選択手段により選択されたアンテナ信号を、所定の２以上のアンテナ接続対象機器のうちのいずれかへ出力するための第３の出力手段と、
前記第１の機器決定手段により、前記所定の２以上のアンテナ接続対象機器のうちのいずれかが前記アンテナ信号を出力すべき機器と決定されると、前記第３の出力手段を制御することによって、前記第１の機器決定手段により決定されたアンテナ接続対象機器へ、前記アンテナ信号を出力させる第３の出力制御手段と、
前記アンテナ接続対象機器からの指示に基づいて、前記第２の入力選択手段を制御することによって、該第２の入力選択手段により選択されるアンテナ信号を切り換える第２の入力制御手段とを備えると共に、
前記第１の入力選択手段により選択されるアンテナ信号と、前記第２の入力選択手段により選択されるアンテナ信号とが排他的となるように構成されていることを特徴とする請求項１記載のアンテナ切換装置。
【請求項４】
前記第２の入力選択手段により選択されたアンテナ信号の位相を変換させる位相変換手段を備えていることを特徴とする請求項２又は請求項３記載のアンテナ切換装置。
【請求項５】
複数のアンテナと、アンテナ信号を入力するためのメイン入力端子／サブ入力端子を有したアンテナ接続対象機器とを備え、ダイバーシティ方式が採用された受信システムに用いるアンテナ切換装置であって、
これら複数のアンテナからのアンテナ信号のうちのいずれかを選択して入力するための第３の入力選択手段と、
該第３の入力選択手段により選択されたアンテナ信号を、前記アンテナ接続対象機器のメイン入力端子／サブ入力端子のうちのいずれかへ出力するための第４の出力手段と、
前記アンテナ接続対象機器からの指示に基づいて、前記第３の入力選択手段を制御することによって、該第３の入力選択手段により選択されるアンテナ信号を切り換える第３の入力制御手段と、
前記アンテナ接続対象機器からの指示に基づいて、前記第４の出力手段を制御することによって、前記第３の入力選択手段により選択されたアンテナ信号をメイン入力端子／サブ入力端子のいずれかへ出力させる第４の出力制御手段と、
これら複数のアンテナからのアンテナ信号のうちのいずれかを選択して入力するための第４の入力選択手段と、
該第４の入力選択手段により選択されたアンテナ信号を、前記アンテナ接続対象機器のメイン入力端子／サブ入力端子のうちのいずれかへ出力するための第５の出力手段と、
前記アンテナ接続対象機器からの指示に基づいて、前記第４の入力選択手段を制御することによって、該第４の入力選択手段により選択されるアンテナ信号を切り換える第４の入力制御手段と、
前記アンテナ接続対象機器からの指示に基づいて、前記第５の出力手段を制御することによって、前記第４の入力選択手段により選択されたアンテナ信号をメイン入力端子／サブ入力端子のいずれかへ出力させる第５の出力制御手段とを備えると共に、
前記第３の入力選択手段により選択されるアンテナ信号と、前記第４の入力選択手段により選択されるアンテナ信号とが排他的となるように構成され、
さらには、前記第４の出力手段から出力されるアンテナ信号の出力先と、前記第５の出力手段から出力されるアンテナ信号の出力先とが排他的となるように構成されていることを特徴とするアンテナ切換装置。
【請求項６】
前記第３の入力選択手段と、前記第４の入力選択手段とのうち、
前記アンテナ接続対象機器のメイン入力端子と接続されている入力選択手段については、アンテナの切り換えが行われず、
他方、前記アンテナ接続対象機器のサブ入力端子と接続されている入力選択手段については、アンテナの切り換えが行われるように構成されていることを特徴とする請求項５記載のアンテナ切換装置。
【請求項７】
前記第４の出力手段が、前記第３の入力選択手段により選択されたアンテナ信号を、前記アンテナ接続対象機器、及び該アンテナ接続対象機器とは別の１以上のアンテナ接続対象機器のうちのいずれかへ出力するものであり、
前記アンテナ信号を出力すべきアンテナ接続対象機器を決定する第２の機器決定手段と、
該第２の機器決定手段による決定に基づいて、前記第４の出力手段を制御することによって、前記第２の機器決定手段により決定されたアンテナ接続対象機器へ、前記アンテナ信号を出力させる第６の出力制御手段とを備えていることを特徴とする請求項５又は請求項６記載のアンテナ切換装置。
【請求項８】
これら複数のアンテナとアンテナ接続対象機器とを繋ぐアンテナ信号線には、アンテナ信号が通過可能な第１の通過手段が設けられると共に、
該第１の通過手段とアンテナ接続対象機器との間に、前記アンテナ信号の通過を阻止する一方、前記アンテナ接続対象機器から送信されてくる信号を通過させる第１の阻止手段が直列接続されていることを特徴とする請求項１〜７のいずれかの項に記載のアンテナ切換装置。
【請求項９】
第１のアンテナ及び第２のアンテナを含んで構成される第１のアンテナ群と、第３のアンテナ及び第４のアンテナを含んで構成される第２のアンテナ群と、アンテナ信号を入力するための第１の入力端子及び第２の入力端子を有し、２つの異なる有意状態を示した信号を送信するアンテナ接続対象機器とを備え、ダイバーシティ方式が採用された受信システムに用いるアンテナ切換装置であって、
前記第１のアンテナ群を構成する前記第１のアンテナからのアンテナ信号、又は前記第２のアンテナからのアンテナ信号を選択して入力するための第５の入力選択手段と、
前記第２のアンテナ群を構成する前記第３のアンテナからのアンテナ信号、又は前記第４のアンテナからのアンテナ信号を選択して入力するための第６の入力選択手段とを備えると共に、
前記第１のアンテナ群と前記アンテナ接続対象機器の前記第１の入力端子とを繋ぐ第１のアンテナ信号線には、前記アンテナ信号が通過可能な第２の通過手段が設けられ、
該第２の通過手段と前記アンテナ接続対象機器との間に、前記アンテナ信号の通過を阻止する一方、前記アンテナ接続対象機器から送信される信号を通過させる第２の阻止手段が直列接続され、
前記第５の入力選択手段が、前記アンテナ接続対象機器から送信されてくる信号に基づいて、アンテナの切り換えを行うものであり、
他方、前記第２のアンテナ群と前記アンテナ接続対象機器の前記第２の入力端子とを繋ぐ第２のアンテナ信号線にも、前記アンテナ信号が通過可能な第３の通過手段が設けられ、
該第３の通過手段と前記アンテナ接続対象機器との間に、前記アンテナ信号の通過を阻止する一方、前記アンテナ接続対象機器から送信される信号を通過させる第３の阻止手段が直列接続され、
前記第６の入力選択手段が、前記アンテナ接続対象機器から送信されてくる信号に基づいて、アンテナの切り換えを行うものであることを特徴とするアンテナ切換装置。
【請求項１０】
前記第１のアンテナ信号線と前記第１の阻止手段を介して接続され、該第１の阻止手段を通過してきた信号を一方向にだけ流す第１の整流手段と、
前記第２のアンテナ信号線と前記第２の阻止手段を介して接続され、該第２の阻止手段を通過してきた信号を一方向にだけ電流を流す第２の整流手段とを備えていることを特徴とする請求項９記載のアンテナ切換装置。
【請求項１１】
複数のアンテナと、複数のアンテナ接続対象機器とを備え、ダイバーシティ方式が採用された受信システムに用いるアンテナ切換方法であって、
これら複数のアンテナからのアンテナ信号のうちのいずれかを選択して入力するステップと、
選択したアンテナ信号を、これら複数のアンテナ接続対象機器のうちのいずれかへ出力するステップと、
前記アンテナ信号を出力すべきアンテナ接続対象機器を決定するステップと、
前記決定に基づいて、これら複数のアンテナ接続対象機器への出力を制御することによって、前記決定したアンテナ接続対象機器へ、前記アンテナ信号を出力させるステップと、
前記アンテナ接続対象機器からの指示に基づいて、アンテナ信号入力を制御することによって、選択入力させるアンテナ信号を切り換えるステップとを有していることを特徴とするアンテナ切換方法。
【手続補正３】
【補正対象書類名】明細書
【補正対象項目名】０００１
【補正方法】変更
【補正の内容】
【０００１】
【発明の属する技術分野】
本発明はアンテナ切換装置、及びアンテナ切換方法に関し、より詳細には、複
数のアンテナと、アンテナ接続対象機器とを備え、ダイバーシティ方式が採用さ
れた受信システムに用いるアンテナ切換装置、及びアンテナ切換方法に関する。
【手続補正４】
【補正対象書類名】明細書
【補正対象項目名】０００９
【補正方法】変更
【補正の内容】
【０００９】
本発明は上記課題に鑑みなされたものであって、分配器を設ける必要がなく、
安価で性能に優れたアンテナ切換装置、及びアンテナ切換方法を提供することを
目的としている。
【手続補正５】
【補正対象書類名】明細書
【補正対象項目名】００１０
【補正方法】変更
【補正の内容】
【００１０】
【課題を解決するための手段及びその効果】
上記目的を達成するために本発明に係るアンテナ切換装置（１）は、複数のア
ンテナと、複数のアンテナ接続対象機器とを備え、ダイバーシティ方式が採用さ
れた受信システムに用いるアンテナ切換装置であって、これら複数のアンテナか
らのアンテナ信号のうちのいずれかを選択して入力するための第１の入力選択手
段と、該第１の入力選択手段により選択されたアンテナ信号を、これら複数のア
ンテナ接続対象機器のうちのいずれかへ出力するための第１の出力手段と、前記
アンテナ信号を出力すべきアンテナ接続対象機器を決定する第１の機器決定手段
と、該第１の機器決定手段による決定に基づいて、前記第１の出力手段を制御す
ることによって、前記第１の機器決定手段により決定されたアンテナ接続対象機
器へ、前記アンテナ信号を出力させる第１の出力制御手段と、前記アンテナ接続
対象機器からの指示に基づいて、前記第１の入力選択手段を制御することによっ
て、該第１の入力選択手段により選択されるアンテナ信号を切り換える第１の入
力制御手段とを備えていることを特徴としている。
【手続補正６】
【補正対象書類名】明細書
【補正対象項目名】００１６
【補正方法】変更
【補正の内容】
【００１６】
また、本発明に係るアンテナ切換装置（３）は、上記アンテナ切換装置（１）
において、これら複数のアンテナからのアンテナ信号のうちのいずれかを選択し
て入力するための第２の入力選択手段と、該第２の入力選択手段により選択され
たアンテナ信号を、所定の２以上のアンテナ接続対象機器のうちのいずれかへ出
力するための第３の出力手段と、前記第１の機器決定手段により、前記所定の２
以上のアンテナ接続対象機器のうちのいずれかが前記アンテナ信号を出力すべき
機器と決定されると、前記第３の出力手段を制御することによって、前記第１の
機器決定手段により決定されたアンテナ接続対象機器へ、前記アンテナ信号を出
力させる第３の出力制御手段と、前記アンテナ接続対象機器からの指示に基づい
て、前記第２の入力選択手段を制御することによって、該第２の入力選択手段に
より選択されるアンテナ信号を切り換える第２の入力制御手段とを備えると共に
、前記第１の入力選択手段により選択されるアンテナ信号と、前記第２の入力選
択手段により選択されるアンテナ信号とが排他的となるように構成されているこ
とを特徴としている。
【手続補正７】
【補正対象書類名】明細書
【補正対象項目名】００４８
【補正方法】変更
【補正の内容】
【００４８】
すなわち、前記アンテナ接続対象機器の前記第１の入力端子、前記第２の入力
端子の一方から、Highレベルの信号が出力されてさえいれば、前記第１の整流手
段、又は前記第２の整流手段から１２Ｖの信号電圧を流すことができる。また、
この１２Ｖの信号電圧はアンテナ切換装置内における電源電圧として利用するこ
とができる。従って、アンテナ切換装置内に別の電源回路装置を設けなくても良
いので、装置の簡略化を図ることができる。
また、本発明に係るアンテナ切換方法（１）は、複数のアンテナと、複数のア
ンテナ接続対象機器とを備え、ダイバーシティ方式が採用された受信システムに
用いるアンテナ切換方法であって、これら複数のアンテナからのアンテナ信号の
うちのいずれかを選択して入力するステップと、選択したアンテナ信号を、これ
ら複数のアンテナ接続対象機器のうちのいずれかへ出力するステップと、前記ア
ンテナ信号を出力すべきアンテナ接続対象機器を決定するステップと、前記決定
に基づいて、これら複数のアンテナ接続対象機器への出力を制御することによっ
て、前記決定したアンテナ接続対象機器へ、前記アンテナ信号を出力させるステ
ップと、前記アンテナ接続対象機器からの指示に基づいて、アンテナ信号入力を
制御することによって、選択入力させるアンテナ信号を切り換えるステップとを
有していることを特徴としている。
上記アンテナ切換方法（１）によれば、選択したアンテナ信号を、複数のアン
テナ接続対象機器のうちのいずれかへ出力させる。すなわち、選択したアンテナ
が、同じ期間に、異なる２以上のアンテナ接続対象機器へ出力されることはない
ので、分配器を設けて前記アンテナ信号を分配する必要はない。
従って、分配損失は生じないため、アンプを設ける必要がないことはもちろん
のこと、雑音指数の劣化が無く、受信感度の低下を防止することができるので、
安価で性能の優れたアンテナ切換装置を実現することができる。
また、前記アンテナ接続対象機器からの指示に基づいて、選択入力させるアン
テナ信号を切り換えることができるので、前記アンテナ接続対象機器の都合（例
えば、受信強度の低下）によって、自由にアンテナの切り換えを行うことができ
る（ダイバーシティ方式の実現）。
【手続補正８】
【補正対象書類名】明細書
【補正対象項目名】００４９
【補正方法】変更
【補正の内容】
【００４９】
【発明の実施の形態】
以下、本発明に係るアンテナ切換装置、及びアンテナ切換方法の実施の形態を
図面に基づいて説明する。図１は、実施の形態（１）に係るアンテナ切換装置を
採用した受信システムの要部を概略的に示したブロック図である。なお、ここで
は前記受信システムが車両で採用される場合について説明する。